(57)【特許請求の範囲】
【請求項１】
回転支軸により、時計ケースに回転可能に取り付けられる蓋を備える蓋付き時計ケースの蓋の開閉構造であって、前記時計ケースまたは前記蓋のうち、一方は中央に貫通孔が形成された連結基部を有し、他方は前記連結基部の両端に連結孔が形成された連結凸部を有していて、同心に形成された前記貫通孔と前記連結孔とに前記回転支軸を遊挿し、前記回転支軸の外周と前記貫通孔との間に複数の第１の弾性体が圧縮され、前記回転支軸の外周と前記連結孔との間に第２の弾性体が圧縮されていると共に、前記第１の弾性体の間に前記第１の弾性体の移動を抑止する為の介在部材を配置し、且つ前記連結凸部の外側にバンドを取り付けるための取付け穴を有する連結足を備え、前記回転支軸の一端が前記連結足に形成した孔に挿入されることを特徴とする蓋付き時計ケースの蓋の開閉構造。
【請求項２】
前記連結孔は前記貫通孔及び前記連結足に形成した孔より大きく形成され、前記連結孔に配置された前記第２の弾性体は前記貫通孔と前記連結足に形成した孔を通過できない大きさであることを特徴とする請求項１に記載の蓋付き時計ケースの蓋の開閉構造。
【請求項３】
前記介在部材が前記回転支軸を挿入するパイプであることを特徴とする請求項１に記載の蓋付き時計ケースの蓋の開閉構造。
【請求項４】
前記蓋をケースに対して閉じた位置に配置される構成において、前記時計ケースと係合するロック手段を備え、該ロック手段が前記蓋と前記時計ケースの一方に備えられた係合突起と前記蓋と前記時計ケースの他方に備えられた凹部とを含み、該凹部に前記係合突起が挿入される別体のパイプ部材を固定したことを特徴とする請求項１に記載の蓋付き時計ケースの蓋の開閉構造。
【請求項５】
前記パイプ部材の外周に接着剤を溜める溜まり溝が形成されることを特徴とする請求項４に記載の蓋付き時計ケースの蓋の開閉構造。
【発明の詳細な説明】
【０００１】
【発明の属する技術分野】
本発明は、回転可能な蓋を備える蓋付き時計ケースに関する。詳しくは、かかる蓋の開閉構造に関する。
【０００２】
【従来の技術】
従来より、時計ケースに対して開閉できるように、該ケースに回転可能に取り付けられ
た蓋を備える携帯時計は公知である。かかる蓋とケースとの取り付け構造として、特開平７−２４８３８７号公報が知られている。
【０００３】
また、実開昭５５−３０８８６号公報には回転支軸となるピンの内方に配置された弾性体を介して、蓋がケースに回転自在に連結される構成が記載されている。ピンが貫通した蓋の連結部には、外方に突出する突部が設けられる。そして、蓋を回転させると、突部がケースに慴接し、蓋がケースから離間する方向に変位する。すると、ピンと弾性体が圧接し、弾性体が圧縮変形される。よって、蓋の回転に所定のトルクが付与される。かつ、蓋の回転範囲における適宜な位置で蓋を停止させることができる。
【０００４】
同様の効果を奏する構造として、実開平５−８７５９３号公報が知られている。
実開平５−８７５９３号公報では、ケースと蓋の対向する面の間で、ピンに遊挿された弾性体が圧縮される。
【０００５】
他方、蓋をケースに対して閉じた位置において、蓋とケースを係合する構造として実開昭５５−３０８８６号公報が知られている。
実開昭５５−３０８８６号公報では、スプリングの付勢により、ケースに出没可能に取り付けられたピンの先端が、蓋に形成された凹部内に挿入する。よって、蓋は、ケースに対して閉じた位置で保持される。
【０００６】
【発明が解決しようとする課題】
しかしながら、上記した実開昭５５−３０８８６号公報の取り付け構造は、蓋を回転させると、蓋とケースとが慴接するので、蓋やケースが摩耗したり、傷がついたりした。さらに、弾性体が圧縮変形する力により、ピンが曲がったり、折れたりすると、蓋がケースから外れることがあった。
【０００７】
また、実開平５−８７５９３号公報の取り付け構造は、ピンを回転不能にケースに固定する。そのため、ピンに形成されたねじ部とケースに形成されたねじ部とを螺合しなければならないため、加工負荷が大きかった。かつ、蓋の回転に伴ってピンが共に回転し、ピンとケースとの螺合が緩むと、蓋がケースから外れることがあった。
【０００８】
さらに、実開昭５５−３０８８６号公報の係合構造は、蓋がチタン、黄銅、あるいはアルミニウムなどの耐摩耗性のない材質から成る場合、出没するピンとの係合によって、蓋の凹部の縁が摩耗しやすかった。よって、長期にわたり使用していると、蓋とピンとの係合が緩んでしまったり、係合できなくなったりした。
【０００９】
よって、蓋付き時計ケースの蓋の開閉構造について、本発明の目的は下記の通りである。
（１）簡単な構造で蓋の回転にトルクを付与すること。
（２）蓋や時計ケースを傷つけないこと。
（３）長期にわたり使用しても、蓋が時計ケースから外れないこと。
（４）充分な耐摩耗性や耐傷性を備えること。
【００１０】
【課題を解決する為の手段】
上記目的を達成するために、本発明に係わる蓋付き時計ケースの蓋の開閉構造は、回転支軸により、時計ケースに回転可能に取り付けられる蓋を備える蓋付き時計ケースの蓋の開閉構造であって、前記時計ケースまたは前記蓋のうち、一方は中央に貫通孔が形成された連結基部を有し、他方は前記連結基部の両端に連結孔が形成された連結凸部を有していて、同心に形成された前記貫通孔と前記連結孔とに前記回転支軸を遊挿し、前記回転支軸の外周と前記貫通孔との間に複数の第１の弾性体が圧縮され、前記回転支軸の外周と前記連結孔との間に第２の弾性体が圧縮されていると共に、前記第１の弾性体の間に前記第１の弾性体の移動を抑止する為の介在部材を配置し、且つ前記連結凸部の外側にバンドを取り付けるための取付け穴を有する連結足を備え、前記回転支軸の一端が前記連結足に形成した孔に挿入されることを特徴とする。
【００１１】
かかる構成により、蓋を回転させると、圧縮された第１、第２の弾性体の少なくともどちらか一方は、回転支軸と、時計ケース又は蓋の孔の少なくともどちらか一方に摩擦をもって慴接する。これにより、蓋を時計ケースに対して回転させると、蓋の回転に所定のトルクが付与される。かつ、トルクを利用して蓋の回転範囲における適宜な位置で蓋を停止させることもできる。また、圧縮された弾性体を介して、回転支軸は時計ケースの貫通孔や蓋の連結孔から抜けないように保持される。また、第１の弾性体を複数個配置したので、回転支軸の軸方向に沿った弾性体の長さを短くでき、蓋の回転に起因して弾性体が攀じれにくくなり、弾性体が破れる危険が排除されて弾性体を長期にわたり使用できる。このように、簡単な構造で、蓋やケースを傷つけることなく、蓋の回転にトルクを付与できる。また、蓋の回転に付与されるトルクの大きさや、回転支軸を抜け止めする固定力の大きさは、弾性体の個数を増やすことで維持される。更に回転支軸の軸方向に沿った弾性体の移動が介在部材との当接により抑止することができ、第１の弾性体の移動に起因する摩耗や捩れが排除されるので、円滑な蓋の回転が保証されるばかりか、弾性体を長期にわたり使用できる。
【００１２】
また、回転支軸の一端がバンド取り付け穴を有する連結足に形成した孔に挿入されることによって、回転支軸の一端が外方より視認されないので、美観を損ねない。また、回転支軸のがたつきが抑止されるので、蓋が円滑に回転できる。
【００１３】
また、前記連結孔は前記貫通孔及び前記連結足に形成した孔より大きく形成され、前記連結孔に配置された前記第２の弾性体は前記貫通孔と前記連結足に形成した孔を通過できない大きさであることを特徴とする。かかる構成により、第２の弾性体が蓋の孔から抜脱しないので、蓋がケースから外れる危険を排除できる。
【００１４】
【００１５】
【００１６】
また、前記介在部材が前記回転支軸を挿入するパイプであることを特徴とする。かかる構成により、安価で組み立てが容易である。かつ、パイプは回転支軸に支持されるので、パイプが曲がったり折れたりする危険が排除される。
【００１７】
また、請求項１の構成に更に、蓋をケースに対して閉じた位置において、ケースと係合するロック手段を備え、該ロック手段が蓋とケースの一方に備えられた係合突起と蓋とケースの他方に備えられた凹部とを含み、該凹部に係合突起が挿入される別体のパイプ部材を固定したことを特徴とする。
【００１８】
かかる構成により、ロック手段は、パイプ部材をステンレス鋼などの耐摩耗性に優れる材質にすれば、蓋とケースとの係合により蓋やケースが摩耗する不具合を排除できる。これにより、蓋や時計ケースがチタン、黄銅、あるいはアルミニウムなどの耐摩耗性の無い材質から成る場合でも充分な耐摩耗性を蓋付き時計ケースに付与できるので、円滑な蓋の開閉構造を提供することができる。
【００１９】
また、前記パイプ部材の外周に接着剤を溜める溜まり溝が形成されることを特徴とする。かかる構成により、パイプを蓋や時計ケースに強固に固定できる。
【００２０】
【発明の実施の形態】
以下、本発明の実施の形態を図１乃至図７に基づいて詳細に説明する。
図１は、本発明に関わる蓋の開閉構造を備えた蓋付き時計ケースの平面図、図２は、図１のＡ−Ａ線断面図、図３（ａ）は、後述の図３（ｂ）のＢ−Ｂ線断面図、図３（ｂ）は、ケース本体の平面図、図４（ａ）は、後述の図４（ｂ）のＣ−Ｃ線断面図、図４（ｂ）は、蓋の平面図、図５は、ヒンジ部の一部を断面にした要部拡大図、図６は、ロック部の一部を断面にした要部拡大図、図７は、ロックを解除した状態を示す一部を断面にした要部拡大図である。
【００２１】
図１乃至図２に示すように本発明に関わる蓋付き時計１の時計ケース２の１２時方向には、ヒンジ部４が形成される。該ヒンジ４には、時計ケース２に対して回転可能になるように蓋３が取り付けられる。また、前記ヒンジ部４の反対の側である６時方向には、蓋３がケース２に対して閉じた位置で蓋３と時計ケース２を係合するロック手段５が備えられる。そして、蓋付き時計１は、時計ケース２に一方及び他方のバンド６、７が備えられる。
前記蓋付き時計１は、時計ケース２内にモジュールＭを収納する。該モジュールＭの軸心８に時針８ｈと分針８ｍが備えられる。また、該モジュールＭの上方には、複数の時字９Ａを固設した文字板９が配置される。よって、時計１が概ね構成される。
【００２２】
図３（ａ）及び図３（ｂ）に示すように、時計ケース２の１２時側のヒンジ部４には、一対の一方の連結足２１が突設される。連結足２１の間に連結基部２２が突設される。よって、連結足２１と連結基部２２のそれぞれの間に、一対の連結凹部２３が形成される。
それぞれの連結足２１には、連結孔２１ａとバンド取り付け穴２６が穿設される。連結基部２２には、貫通孔２２ａが穿設される。貫通孔２２ａと連結孔２１ａは、同径でかつ同心に穿設される。
【００２３】
一方、ケース２の６時側には、一対の他方の連結足２４が設けられる。該連結足２４それぞれには、連結孔２４ａとバンド取り付け穴２７が穿設される。バンド６、７は、バンド取り付け穴２６、２７それぞれに、ばね棒や連結ピンなどの公知の方法によって連結される。
【００２４】
蓋３は、図４（ａ）及び図４（ｂ）に示すように、略リング状の蓋本体３１を備える。蓋本体３１には、風防ガラス３０がパッキンＰを介して取り付けられる。さらに、蓋本体３１の１２時側には、ケース２の連結基部２２が収納される収納凹部３２と、ケース２の連結凹部２３それぞれに収納される一対の連結凸部３３が突設されて、ヒンジ部４の一部を形成する。そして、該一対の連結凸部３３それぞれに、連結孔２１ａ及び貫通孔２２ａと同心に連結孔３３ａが一対穿設される。連結孔３３ａの内径は、連結孔２１ａ及び貫通孔２２ａの内径より大きく穿設される。
【００２５】
一方、蓋本体３１の６時側には、該蓋本体３１と一体に凸部３４が突設される。凸部３４の先端には、携帯者が蓋３の開閉のために指を引っかけるための舌片部３４Ａが形成される。該舌片部３４Ａの裏面には、一対の連結凸部３５が下方に向けて突設される。連結凸部３５には、ケース２の連結孔２４ａと同心に貫通孔３５ａが穿設される。
【００２６】
ケース２と蓋３は、次のように連結される。
図５に示すように、時計ケース２の連結凹部２３に、蓋３の連結凸部３３が配置される。そして、同心に並列する連結基部２２の貫通孔２２ａと連結凸部３３の連結孔３３ａ及び連結足２１の連結孔２１ａに、回転支軸１０が挿通される。これらの各々の孔に貫挿する回転支軸１０は、２本のピン１１より成る。挿入しやすいように楔形状を成す先端１１Ａが互いに向き合うように、ピン１１は挿入される。図示するように、先端１１Ａを互いに接触させても良い。
【００２７】
回転支軸１０は、貫通孔２２ａ内に配置されたパイプ形状を成す２個の第１の弾性体１３内に挿入される。よって、回転支軸１０の外周に、２つの第１の弾性体１３が装着される。弾性体１３の内径はピン１１の外径より径小であり、回転支軸１０が挿入されたときの外径は、貫通孔２２ａの内径より径大に設定される。よって、第１の弾性体１３は、回転支軸１０であるピン１１の外周と貫通孔２２ａの内壁の間で圧縮される。
また、２個の弾性体１３の間に、貫通孔２２ａ内に位置する介在部材であるパイプ１２が配置される。ピン１１の先端１１Ａそれぞれは、パイプ１２内に挿入されて対向する。第１の弾性体１３は、パイプ１２との当接により、回転支軸１０の軸方向に沿って移動するのが抑止される。
第１の弾性体１３の材質としては、ウレタン樹脂、シリコン樹脂、天然ゴム、合成ゴム（ＮＢＲ：ニトリルブタジエンゴム、ＩＩＲ：ブチルゴム等）など、弾発力に富んだ合成樹脂やゴムが好ましい。
【００２８】
また、第１の弾性体１３と同様の材質からなり、同じくパイプ形状を成す第２の弾性体１４が、蓋３の連結孔３３ａ内にそれぞれ配置される。第２の弾性体１４内に回転支軸１０であるピン１１が挿通され、ピン１１の外周に第２の弾性体１４が装着される。第２の弾性体１４の内径はピン１１の外径より径小であり、第２の弾性体１４の外径は、蓋３の連結孔３３ａの内径より小さく設定した時計ケース２の貫通孔２２ａと連結足２１の連結孔２１ａの内径より大きい。かつ、ピン１１が挿入されたときの第２の弾性体１４の外径は、連結孔３３ａの内径より径大に設定される。よって、第２の弾性体１４は、ピン１１の外周と蓋３の連結孔３３ａの内壁との間に圧縮される。
このように圧縮された第１の弾性体１３、第２の弾性体１４を介して、回転支軸１０は時計ケース２の貫通孔２２ａや蓋３の連結孔３３ａから抜けないように保持される。
【００２９】
このように連結された回転支軸１０の両端、すなわちピン１１の一端１１Ｂは、バンドを連結するためのバンド取り付け穴２６，２７を有する連結足２１の連結孔２１ａ内に挿入される。よって、回転支軸１０の端部が外方より視認されないので、時計ケース２の美観を損ねない。
また、第２の弾性体１４は、時計ケース２の連結孔２２ａと連結足２１の連結孔２１ａを通過できない大きさなので、第２の弾性体１４が蓋３の連結孔３３ａから抜脱しない。よって、蓋３がケース２から外れる危険が排除される。これは、２個の弾性体１４が蓋３から抜けないので、弾性体１４の間に位置する弾性体１３も、ケース２から抜けることはない。かくして、ヒンジ部４が構成される。
【００３０】
上記したヒンジ部４が蓋３に付与する回転トルクは、第１の弾性体１３及び第２の弾性体１４の圧縮量により決定する。すなわち第２の弾性体１４の圧縮量を大きくして、第２の弾性体１４と回転支軸１０とを蓋３とともに回転させても良い。すると、圧縮された第１の弾性体１３と回転支軸１０との間の摩擦、あるいは第１の弾性体１３と時計ケース２の貫通孔２２ａとの間の摩擦のうち、すくなくともいずれか一方により、蓋３の回転に所定のトルクが付与される。
逆に、第１の弾性体１３の圧縮量を大きくして、第１の弾性体１３と回転支軸１０とを時計ケース２に対して回転不能に保持させても良い。すると、圧縮された第２の弾性体１４と回転支軸１０との間の摩擦、あるいは第２の弾性体１４と蓋３の連結孔３３Ａとの間の摩擦のうち、少なくともいずれか一方により、蓋３の回転に所定のトルクが付与される。あるいは、圧縮量の調整により、第１の弾性体１３及び第２の弾性体１４の双方を回転支軸１０、あるいは時計ケース２の貫通孔２２ａや蓋３の連結孔３３ａの少なくともどちらか一方に慴接させても良い。
【００３１】
次に、ロック手段５について説明する。
図６に示すようにロック手段５は、時計ケース２の連結足２４の連結孔２４ａに係合突
起２８を圧入して成る。該係合突起２８は円筒状のケース２８Ａ内にばね２８Ｂを収納し、さらにボール２８Ｃをばね２８Ｂの付勢力に抗して収納して開口部を僅かにカシメてボール２８Ｃを封じて成る係止機構である。
一方、蓋３の貫通孔３５ａには、上記係合突起２８のボール２８Ｃが挿入される凹部である別体のステンレス鋼等の耐摩耗性に優れた材質より成るパイプ部材２９が固定される。該パイプ部材２９は、略円筒形状を有し、ボール２８Ｃを係止する開口部２９Ａと外周に溜まり溝２９Ｂとが形成されている。該溜まり溝２９Ｂに接着剤を塗布し、貫通孔３５ａにパイプ部材２９を圧入するとともに固定する。
【００３２】
上記のように構成された回転構造を有する蓋付き時計１の時計ケース２に対する蓋３の開閉状態は、図２に示すように、ヒンジ部４の回転支軸１０を支軸に蓋３の舌片部３４Ａに指を引っ掛けて係合突起２８のばね２８Ｂの付勢力に抗してイ方向に持ち上げる（回転）。すると図７に示すように、ボール２８Ｃがパイプ部材２９の開口部２９Ａより外れる。さらに蓋３を持ち上げる（回転）と該蓋３の連結凸部３５の側壁３５Ａに規制をうけながらボール２８Ｃがばね２８Ｂを圧縮してケース２８Ａ内を移動し、側壁３５Ａが通過した後、規制が解除される。
【００３３】
一方、蓋３は、ヒンジ部４の第１の弾性体１３及び第２の弾性体１４のいずれか一方または双方からの圧縮により回転に所定のトルクが付与されているため、図２に示す任意の位置で蓋３の開閉を停止できる。また、閉じる際は、蓋３をロ方向に押し続けると図３（ｂ）に示す蓋受け面２５に載置されるとともに係合突起２８のボール２８Ｃがパイプ部材２９の開口部２９Ａに係止されて蓋３が時計ケース２に固定される。
かかる腕時計は、蓋３を開いて、時針８ｈ、分針８ｍ、時字９Ａを指でさわって時刻を確認する、視覚障害者用の腕時計として実施できる。
【００３４】
上記したヒンジ部４及びロック手段５は、上記実施例に限定されない。
例えばヒンジ部４の回転支軸１０を、２本のピン１１から１本のピンにしても良い。あるいは、ばね棒に換えることもできる。
また、連結基部を含む構成を蓋に設け、連結凸部を含む構成をケースに設けても良い。
また、ロック手段５は、連結孔２４ａにパイプ部材２９を設け、貫通孔３５ａに該係合突起２８を設けても良い。
【００３５】
【発明の効果】
以上のように構成された本発明に係わる蓋付き時計１の構造によれば、下記の効果があった。
（１）簡単な構造で蓋３の開閉時の回転にトルクを付与できる。
（２）蓋３や時計ケース２に傷がつかない。
（３）長期にわたり使用しても、蓋３が時計ケース２から外れない。
（４）パイプ部材２９により充分な耐摩耗性や耐傷性を備えることがでる。
【図面の簡単な説明】
【図１】  本発明に関わる蓋の開閉構造を備えた蓋付き時計ケースの平面図である。
【図２】  図１の同Ａ−Ａ線断面図である。
【図３】  （ａ）は、図３（ｂ）のＢ−Ｂ線断面図である。（ｂ）は、ケース本体の平面図である。
【図４】  （ａ）は、図４（ｂ）のＣ−Ｃ線断面図である。（ｂ）は、蓋の平面図である。
【図５】  ヒンジ部の一部を断面にした要部拡大図である。
【図６】  ロック部の一部を断面にした要部拡大図である。
【図７】  ロックを解除した状態を示す一部を断面にした要部拡大図である。
【符号の説明】
１      蓋付き時計
２      時計ケース
３      蓋
４      ヒンジ部
５      ロック手段
６      一方のバンド
７      他方のバンド
９      蓋
１０    回転支軸
１１    ピン
１１Ａ  先端
１１Ｂ  一端
１２    パイプ
１３    第１の弾性体
１４    第２の弾性体
２１    一方の連結足
２１ａ  連結孔
２２    連結基部
２２ａ  貫通孔
２３    連結凹部
２４    他方の連結足
２４ａ  連結孔
２５    蓋受け面
２６    バンド取り付け穴
２７    バンド取り付け穴
２８    係合突起
２８Ａ  ケース
２８Ｂ  ばね
２８Ｃ  ボール
２９    パイプ部材
３０    風防ガラス
３１    蓋本体
３２    収納凹部
３３    連結凸部
３４    凸部
３４Ａ  舌片部
３５    連結凸部
３５Ａ  側壁
３５ａ  貫通孔
【図１】
0004275805.tif 000002
【図２】
0004275805.tif 000003
【図３】
0004275805.tif 000004
【図４】
0004275805.tif 000005
【図５】
0004275805.tif 000006
【図６】
0004275805.tif 000007
【図７】
0004275805.tif 000008